(57)【要約】【課題】非接触読取り可能なカード型記録媒体（ＩＣカード）に関し、読取らせ操作の利便性と、不正読取りを防止する機能とを両立させ、不正読取りを防止するためのカードの取扱いがより簡易な技術手段を得る。【解決手段】カード基材４と、メモリ及びその記録内容の送信手段を有するＩＣチップ７と、このＩＣチップに接続された送受信アンテナ８と、前記アンテナを挟む一方の面に前記カード基材と略同面積の磁性材粉末層３と導電金属箔５とが当該アンテナに近い側からこの順で配置されている。表面となるカード面からは読取り可能で裏面となるカード面からは読取り不能であり、かつその読取り不能の面に重ね合わされた他のＩＣカードに対するシールド機能を備えている。【選択図】      図１
2007264980.tif 000002
【特許請求の範囲】
【請求項１】
カード基材(4)と、メモリ及びその記録内容の送信手段を有するＩＣチップ(7)と、このＩＣチップに接続された送受信アンテナ(8)とを備えたカード型記録媒体において、
前記アンテナを挟む一方の面に前記カード基材と略同面積の磁性材粉末層(3)と導電金属箔(5)とが当該アンテナに近い側からこの順で配置されている、カード型記録媒体。
【請求項２】
前記磁性材粉末層(3)と導電金属箔(5)との間に前記カード基材が配置されている、請求項１記載のカード型記録媒体。
【請求項３】
前記カード基材(4)が前記導電金属箔(5)の反アンテナ側に配置されている、請求項１記載のカード型記録媒体。
【発明の詳細な説明】
【技術分野】
【０００１】
この発明は、一般にＩＣカードと呼ばれている非接触読取り可能なカード型記録媒体（以下、「ＩＣカード」という。）に関するものである。
【背景技術】
【０００２】
ＩＣカードは、合成樹脂製のカード基材にメモリとその記録内容の送信手段とを備えたＩＣ（集積回路）に送受信用のアンテナを接続してなる記録デバイスを内蔵ないし添着したカード型の記録媒体で、読取機から所定の読取信号を受けたときに、各カードに割り当てられている識別情報を送信する機能を備えている。ＩＣチップに内蔵されたメモリの記憶容量は、磁気記録帯に情報を記憶する従来の磁気記録カードに比べて遥かに大きく、非接触読取りが可能なので、読取機の構造が簡単になると共に、読取らせ操作も容易になることから、乗車カード、通行カード、身分証明カード、金融カードなどとして広く利用されるようになっている。
【０００３】
しかし、ＩＣカードは、非接触読取りが可能であることによって生ずる利便性の反面、カード固有の識別情報が読取られやすいという欠点を有している。すなわち、ＩＣカードをポケットやバッグに入れて携行しているとき、満員電車などの中などで不正な読取機からの読取信号に応答して識別情報を送信してしまうことが生ずる。この不正読取りを避けるためには、電磁波を遮蔽するシールド機能を備えたカードケースにＩＣカードを入れておくか、そのようなシールド機能を備えた保護カードをＩＣカードに重ねて携行するなどの対策が必要であり、ＩＣカードの不正読取りを防止するのに用いるシールドケースやシールドシートないしカードが提案されている。
【特許文献１】特開２００３‐３００５７９号公報
【特許文献２】特開２００５‐２７９９７５号公報
【発明の開示】
【発明が解決しようとする課題】
【０００４】
ＩＣカードの不正読取りを防止するために、このような電磁遮蔽機能を備えたシールドケースやシールドカードを利用するときは、読取らせ操作を行うときにＩＣカードをシールドケースやシールドカードを入れたカードケースから取り出さなければならず、ＩＣカードが持っている読取らせ操作が容易であるという利便性が失われることになる。
【０００５】
シールドカードの中には、カードの一方の面にのみシールド機能を付与したものが提供されており、そのような片面シールド型のシールドカードを用いると、ＩＣカードとシールドカードとをどの方向で重ね合わせるかによって、シールドカードが添設されていない側からＩＣカードを読取り可能にすることもできる。しかし、このような使い方をするためには、シールド機能を有していないカードケースに、ＩＣカードとシールドカードとを正しい方向に重ね合わせて入れる必要がある。ＩＣカードには、不正読取りされても被害の少ない乗車カードなどと、不正読取りされたときに甚大が被害が生ずるおそれのある金融カードや身分証明カードがあるが、シールドカードとこれらのカードとの重ね方を間違えると、重要な情報が不正読取りされる危険が生じる。
【０００６】
この発明は、読取らせ操作の利便性と、不正読取りを防止する機能とを両立させ、不正読取りを防止するためのカードの取扱いがより簡易な技術手段を得ることを課題としている。
【課題を解決するための手段】
【０００７】
この発明は、表面となるカード面からは読取り可能で裏面となるカード面からは読取り不能であり、かつその読取り不能の面に重ね合わされた他のＩＣカードに対するシールド機能を備えたＩＣカードを提供することにより、上記課題を解決したものである。
【０００８】
上記作用を発揮するこの発明のＩＣカードは、カード基材４と、メモリ及びその記録内容の送信手段を有するＩＣチップ７と、このＩＣチップに接続された送受信アンテナ８とを備えたＩＣカードにおいて、前記アンテナを挟む一方の面に前記カード基材と略同面積の磁性材粉末層３と導電金属箔５とが当該アンテナに近い側からこの順で配置されている、ＩＣカードである。
【０００９】
カード基材４は、磁性材粉末層３と導電金属箔５との間に配置するか、又は、導電金属箔５の反アンテナ側に配置するのが好ましい。
【００１０】
カード基材４は、一般的には合成樹脂シートであるが、導電性や磁性を備えていない紙、布、樹脂及びこれらの複合材などからなるシートである。アンテナ８は、一般的にはＩＣチップに接続されている導電線であるが、ＩＣチップ７に内蔵されたものであってもよい。磁性材粉末層３は、鉄やコバルトなどの磁性金属及びこれらの酸化物の粉末を可撓性のあるバインダーで結合した材料からなる層で、前記粉末としては、酸化鉄の粉末、特にフェライトを用いるのが好ましい。導電金属箔５は、導電性のある金属の箔、すなわち薄いシートで、一般的にはアルミ箔、真鍮箔、洋白箔などのアルミニウムや胴及びそれらを含む合金の箔であるが、銀箔、白金箔、金箔などの貴金属箔を用いて装飾性やデザイン性に優れたカードを得ることもできる。磁性材粉末層３の厚さは、５０ミクロン以上、導電金属箔５の厚さは０．２〜０．５ミクロン以上とするのが好ましく、これより薄いと後述する可読性付与機能及びシールド機能が徐々に低下する。厚さの上限は特に規定されないが、カードとしての柔軟性を損なわない厚さとすべきであって、特に導電金属箔５は、カード基材４より高い柔軟性を有する厚さに留めるべきである。磁性材粉末層３は、バインダーと磁性金属ないしその酸化物の粉末とからなる複合材の層であるから、軟質のバインダーを用いることによって、ある程度の厚さであってもカード基材４より高い柔軟性を備えたものとすることができる。
【００１１】
この発明のＩＣカードは、記憶した情報及び読取信号の送受信のためのアンテナ８を備えており、このアンテナ８の一方の側に磁性材粉末層３と導電金属箔５とがアンテナ８に近い側からこの順序で配置されている。導電金属箔５は、アンテナ８で送受信される信号を遮蔽する。アンテナ８を磁性材粉末層３を介在させないで導電金属箔５に近接させて配置したときは、当該導電金属箔５は、当該箔を配置した側と反対の側からの信号も遮蔽する。一方、この発明のように、アンテナ８と導電金属箔５との間に磁性材粉末層３を介在させると、導電金属箔５を配置した側と反対の側からアンテナ８の信号の送受信が可能である。
【発明の効果】
【００１２】
上記のこの発明の構造を備えたＩＣカード１０は、カード両面の内の磁性材粉末層３側の面から記録内容を読取ることができ、導電金属箔５側の面からは情報を読取ることができず、かつ当該導電金属箔側の面に重ね合わされた他のＩＣカードの読取りをも不能にする。ＩＣカードは、その面に付与された文字や図柄によって表面と裏面とに区別されるので、この発明の構成を備えたＩＣカード１０の磁性材粉末層３側の面に表面としての体裁を付与し、導電金属箔側の面に裏面としての体裁を付与してやれば、その表面側を読取機に向けて用いるという操作で、情報の読取らせ操作を行うことができ、かつポケットなどのに入れるときは、その表面側を内向き、すなわちからだ側にして携行することにより、不正読取を防止することができる。この読取らせ操作と不正読取防止のためのカードの取扱い方法とが単純でわかりやすいため、カードの誤った取扱いに基づく不正読取りの危険をより確実に防止することができる。
【００１３】
更に、この発明のＩＣカードの２枚を背中合わせにすれば、それぞれのカードを表面側から読取ることができ、かつ読取り時における２枚のカード間の干渉を防止することができる。更にまた、背中合わせにした２枚のこの発明のＩＣカードの間に他のＩＣカードを挟んだ場合、当該挟まれたＩＣカードは、いずれの側からの読取りも不能になるので、この発明のＩＣカードを金融カードや身分証明カードなどのためのシールドカードとして用いることもできるという効果がある。
【発明を実施するための最良の形態】
【００１４】
図１は、この発明のＩＣカードの好ましい一例を示す図で、積層構造を明示するために厚さを誇張して示した斜視図である。図において、１は保護外皮である透明フィルム、２はインレットシート、３は磁性材粉末層であるフェライト層、４は合成樹脂シートからなるカード基材、５はアルミ箔、６は保護外皮である透明フィルム、７はＩＣチップ、８はＩＣチップ７に接続されているアンテナである。図１の例では、透明フィルム６の下に磁気記録層９が設けられているが、この磁気記録層９は付加的なものである。
【００１５】
アンテナ８は、フェライト層３のカード表側となる面に印刷により形成され、ＩＣチップ７は、このアンテナに電気的に接続された状態でフェライト層３に貼着されている。フェライト層３の上に積重されるインレットシート２は、ＩＣチップ７が収まる凹所（切欠又は凹み）１１を備えている。透明フィルム１の裏面（図の下側の面）又はインレットシート２の表側の面（図の上側の面）には、カード表面としての体裁（外観）を付与する文字や図柄が印写されている。図では透明フィルム１及びインレットシート２を分離した状態で描いているが、ＩＣチップ７及びアンテナ８を挟んでフェライト層３の上に積層されているものである。すなわち、図のＩＣカード１０は、カードの表側（図の上方）から透明フィルム１、ＩＣチップ７及びインレットシート２、アンテナ８、フェライト層３、カード基材４、アルミ箔５、裏面側の透明フィルム６及び磁気記録層９を積重した積層体である。裏面側の透明フィルム６の裏面（図で上面）には、ＩＣカード１０の裏面としての体裁を付与する文字や図柄が印写されている。各層の積層順序としては、カード基材４とアルミ箔５とが逆であってもよく、この場合にはカード裏面としての体裁を付与する文字や図柄は、カード基材４の裏面（図の下側の面）に印写することができる。
【００１６】
図のＩＣカード１０は、カード基材４の一方の面に塗装、吹付け、コーティング等によりフェライト層３を形成し、反対側の面に導電金属箔５を貼着する。そして、フェライト層３の上面にアンテナ８を印刷し、このアンテナに端子を接続した状態でＩＣチップ７を貼着する。そしてＩＣチップ７を凹所１１に納めた状態でインレットシート２を貼着し、更に利用面にカード保護用の透明フィルム１及び６を熱融着し、裏側の透明フィルム６に磁気記録層９を帯状に転写したものである。
【００１７】
上記のように、磁性材粉末層３と導電金属箔５とを備え、磁性材粉末層３の反導電金属箔側にＩＣチップのアンテナ８を配置したこの発明のＩＣカードは、磁性材粉末層３側を読取機に向けたときはＩＣチップ７の情報を読取ることができ、逆に導電金属箔５側を読取機に向けたときは、電磁波が遮蔽されて情報を読取ることができない。そこで、図２に示すように、一方の面に透明窓１２の付いたカードケース１３に、この発明のＩＣカード１０の表の面（磁性材粉末層３側の面）を透明窓１２側に向けて挿入しておけば、ＩＣカード１０の読取らせ操作をするとき、カード１０の表の面が見える透明窓１２側を読取機に向けてやればよく、またカードをポケットに入れて携行するときは、透明窓１２側を内側に向けて携行することにより、カードの不正読取が防止される。
【００１８】
更に別のＩＣカード１４をこの発明のＩＣカード１０の裏面（導電金属箔５側の面）に添設した状態でカードケース１３に収容したとき、添設した他のＩＣカード１４は、カードケース１３に挿入されている状態では、カードケース１３のどちら側からも読取ることができなくなる。
【００１９】
また、図３に示すように、両面に透明窓１２を備えたカードケース１３に、この発明のＩＣカード１０を２枚背中合わせにして収容したときは、カードケース１３にＩＣカード１０を入れたままで、それぞれのカードの情報をそれぞれの側（それぞれのカードの表側）から読取ることができるので、不正読取される危険が小さいときは、乗車カードのような不正読取されても被害の少ないカードを背中合わせにカードケース１３に収容して、読取機に向けるカードケースの方向によって２枚の乗車カードを使い分けることが可能である。また、背中合わせにしたこの発明のＩＣカード１０の間に挿入した他のＩＣカード１４は、カードケース１３のいずれの側からも読取ることができなくなるので、この発明のＩＣカード１０を高い守秘性が要求される金融カードや身分証明カードなどの不正読取防止カードとして使用することもできる。
【図面の簡単な説明】
【００２０】
【図１】この発明のＩＣカードの一例を厚さとその積重構造を誇張して示した分解斜視図
【図２】この発明のＩＣカードと他のＩＣカードとをカードケースに収容する第１例を示した斜視図
【図３】この発明のＩＣカードと他のＩＣカードとをカードケースに収容する第２例を示した模式的な断面図
【符号の説明】
【００２１】
３  フェライト層
４  カード基材
５  導電金属箔
７  ＩＣチップ
８  送受信アンテナ
【図１】
2007264980.tif 000003
【図２】
2007264980.tif 000004
【図３】
2007264980.tif 000005